(57)【要約】【課題】簡便かつ効率的に記録した電子情報を再利用するとともに、会議内容の振り返りやまとめを効率的に行う電子機器を提供する。【解決手段】２頁以上の画像データを表示媒体に表示する電子機器であって、２頁以上の画像データを画像データの頁情報とともに記憶する画像データ記憶手段と、２頁以上の画像データから一部の画像データを抽出する画像データ抽出手段と、抽出された一部の画像データを抽出された一部の画像データの属性情報及び抽出元の画像データの頁情報とともに記憶する抽出画像データ記憶手段と、抽出画像データ記憶手段に記憶された一部の画像データを表示媒体に表示された画像データに貼り付ける画像データ貼付手段とを備える。【選択図】図２
2015022393.tif 000002
【特許請求の範囲】
【請求項１】
２頁以上の画像データを表示媒体に表示する電子機器であって、
前記２頁以上の画像データを前記画像データの頁情報とともに記憶する画像データ記憶手段と、
前記２頁以上の画像データから一部の画像データを抽出する画像データ抽出手段と、
前記抽出された一部の画像データを前記抽出された一部の画像データの属性情報及び抽出元の画像データの頁情報とともに記憶する抽出画像データ記憶手段と、
前記抽出画像データ記憶手段に記憶された一部の画像データを前記表示媒体に表示された画像データに貼り付ける画像データ貼付手段と、
を備えることを特徴とする電子機器。
【請求項２】
前記画像データ抽出手段は、前記抽出する画像データのサイズを変更する抽出画像データサイズ変更手段を備えることを特徴とする請求項１記載の電子機器。
【請求項３】
前記画像データ貼付手段は、前記表示媒体に表示された画像データに貼り付ける一部の画像データのサイズを変更する貼付画像データサイズ変更手段を備えることを特徴とする請求項１又は２記載の電子機器。
【請求項４】
前記画像データ貼付手段は、前記表示媒体に表示された画像データに貼り付ける一部の画像データの前記表示媒体に表示された画像データにおける位置情報を記憶する位置情報記憶手段を備えることを特徴とする１から３の何れか１項に記載の電子機器。
【請求項５】
前記画像データ貼付手段は、前記貼り付ける一部の画像データ複数が重ならないように前記表示媒体に表示された画像データに貼り付けることを特徴とする請求項１から４の何れか１項に記載の電子機器。
【請求項６】
前記表示媒体に表示される画像データに付加画像を描画する描画手段を備え、
前記画像データ抽出手段により抽出する一部の画像データが前記描画手段により描画された付加画像であることを特徴とする請求項１から５の何れか１項に記載の電子機器。
【請求項７】
前記画像データ抽出手段により抽出する一部の画像データが前記画像データ記憶手段に記憶された文書ファイルであることを特徴とする請求項１から６の何れか１項に記載の電子機器。
【請求項８】
２頁以上の画像データを表示媒体に表示する電子機器の画像データ表示処理方法であって、
前記２頁以上の画像データを前記画像データの頁情報とともに記憶部に記憶し、
前記２頁以上の画像データから一部の画像データを抽出して前記記憶部に記憶し、
前記抽出された一部の画像データを前記抽出された一部の画像データの属性情報及び抽出元の画像データの頁情報とともに前記記憶部に記憶し、
前記記憶された一部の画像データを前記表示媒体に表示された画像データに貼り付けることを特徴とする画像データ表示処理方法。
【請求項９】
２頁以上の画像データを表示媒体に表示するプログラムであって、
前記２頁以上の画像データを前記画像データの頁情報とともに記憶部に記憶するステップと、
前記２頁以上の画像データから一部の画像データを抽出して前記記憶部に記憶するステップと、
前記抽出された一部の画像データを前記抽出された一部の画像データの属性情報及び抽出元の画像データの頁情報とともに前記記憶部に記憶するステップと、
前記記憶された一部の画像データを前記表示媒体に表示された画像データに貼り付けるステップとをコンピュータに実行させることを特徴とするプログラム。
【発明の詳細な説明】
【技術分野】
【０００１】
本発明は、表示媒体に電子情報を表示する電子機器、画像データ表示処理方法、及びプログラムに関する。
【背景技術】
【０００２】
液晶やプラズマなどのフラットパネルやプロジェクタを用いたディスプレイに、タッチパネルを搭載した、いわゆる「電子情報ボード」が上市されている。例えば、電子情報ボードの外観の一例を図３２に示す。電子情報ボードはパソコンを接続することによって、接続されたパソコンの画面を大きく映すことができ、会議におけるプレゼンテーションや教育機関等で用いられている。
【０００３】
電子情報ボードに搭載されるタッチパネル機能を用いて、操作者がマウス操作の代わりに映されている画面に直接タッチすることでパソコンを操作する機能が提供されている。また、パソコン上で動作する電子黒板アプリケーションソフトウエアが電子情報ボードと共に提供されている。
【０００４】
また、電子黒板アプリケーションソフトウエアには、黒板の役割をする画面上にタッチパネルを介して手書き文字や図形を描く機能、パソコンから取り込んだ画面上に手書き文字や図形を重畳して描く機能といった、タッチパネルを介した手書機能が提供されている。
【０００５】
このような電子情報ボードを利用すれば、例えば会議シーンにおいて、説明のための表示資料を操作しながら、適宜画面上に直接指摘事項等の書込みを行い、さらに必要に応じ書込みを含む画面内容を記録することができる。その結果、会議終了時に画面内容を振り返り、画面内容を再利用することで効率的に結論をまとめることが期待できる。
【０００６】
特許文献１には、位置入力装置を介した表示装置に表示される表示画面中の切り取り画面領域の選択を受け付ける画面領域切り取り手段と、切り取り画面領域の画像データを画面クリップとして記録する画面クリップ記録手段とを含み、記録されている１または複数の画面クリップを選択可能に表示し、該１または複数の画面クリップの中から貼付対象の選択を受け付ける画面クリップ閲覧手段と、貼付対象の画面クリップを表示画面内に貼り付ける画面クリップ貼り付け手段とを含む電子情報ボードが開示されている。
【発明の概要】
【発明が解決しようとする課題】
【０００７】
しかし、特許文献１に開示されたような今までの電子情報ボードでは、記録した画面内容のサムネイル等による一覧表示や記録した画面全体の閲覧・再編集機能は備えているものの、記録した画面内容を再利用するための特別な機能は備えていないものがほとんどである。このため、これまでの電子情報ボードでは、会議内容を振り返り、結論をまとめるシーンにおける利便性に問題がある。
【０００８】
一方、記録した画面内容を再利用するための特別な機能を備えている電子情報ボードとしては、画面の一部領域を切り取り、貼り付ける機能を有するものがある。しかし、この機能においては、切り取りと貼り付けの指示方法が複雑であるため、かえって画面内容の再利用に手間取ってしまうという問題がある。
【０００９】
本発明は、このような実情に鑑みてなされたものであって、簡便かつ効率的に記録した電子情報を再利用するとともに、会議内容の振り返りやまとめを効率的に行う電子機器を提供することを目的とする。
【課題を解決するための手段】
【００１０】
上記の課題を解決するため、本発明の電子機器は、２頁以上の画像データを表示媒体に表示する電子機器であって、２頁以上の画像データを画像データの頁情報とともに記憶する画像データ記憶手段と、２頁以上の画像データから一部の画像データを抽出する画像データ抽出手段と、抽出された一部の画像データを抽出された一部の画像データの属性情報及び抽出元の画像データの頁情報とともに記憶する抽出画像データ記憶手段と、抽出画像データ記憶手段に記憶された一部の画像データを表示媒体に表示された画像データに貼り付ける画像データ貼付手段とを備えることを特徴とする。
【発明の効果】
【００１１】
本発明によれば、簡便かつ効率的に記録した電子情報を再利用するとともに、会議内容の振り返りやまとめを効率的に行うことができる。
【図面の簡単な説明】
【００１２】
【図１】本発明の実施形態における電子情報ボードの概略構成を示す模式図である。
【図２】本発明の実施形態における電子情報ボードの機能ブロック図である。
【図３】本発明の実施形態における利用開始処理手順を示すフロー図である。
【図４】本発明の実施形態における利用開始画面を示す模式図である。
【図５】本発明の実施形態における頁表示内容取得処理手順を示すフロー図である。
【図６】本発明の実施形態におけるパスコード入力エラー画面例である。
【図７】本発明の実施形態におけるパスコード入力処理手順を示すフロー図である。
【図８】本発明の実施形態におけるパスコード入力画面例である。
【図９】本発明の実施形態における利用処理手順を示すフロー図である。
【図１０】本発明の実施形態における利用画面例１である。
【図１１】本発明の実施形態における利用画面例２である。
【図１２】本発明の実施形態における頁挿入処理手順を示すフロー図である。
【図１３】本発明の実施形態における頁挿入処理手順を示すフロー図である。
【図１４】本発明の実施形態における前頁移動処理手順を示すフロー図である。
【図１５】本発明の実施形態における終了処理手順を示すフロー図である。
【図１６】本発明の実施形態における頁表示内容記憶処理手順を示すフロー図である。
【図１７】本発明の実施形態における記憶確認画面例である。
【図１８】本発明の実施形態におけるパスコード設定処理手順を示すフロー図である。
【図１９】本発明の実施形態におけるパスコード設定画面例である。
【図２０】本発明の実施形態における日付入りパスコード設定処理手順を示すフロー図である。
【図２１】本発明の実施形態における日付入りパスコード設定画面例である。
【図２２】本発明の実施形態における頁クリップ切出処理手順を示すフロー図である。
【図２３】本発明の実施形態における頁クリップ切出処理の初期画面例である。
【図２４】本発明の実施形態における頁クリップ切出処理の動作画面例である。
【図２５】本発明の実施形態における頁クリップ貼付処理手順を示すフロー図である。
【図２６】本発明の実施形態における頁クリップ貼付処理の初期画面例である。
【図２７】本発明の実施形態における頁クリップ貼付処理の動作画面例である。
【図２８】本発明の実施形態における選択頁クリップ貼付位置合わせ処理手順を示すフロー図である。
【図２９】本発明の実施形態における選択頁クリップ貼付位置合わせ処理の動作画面例である。
【図３０】本発明の実施形態における選択頁クリップ貼付位置合わせ処理後の動作画面例である。
【図３１】本発明の実施形態における文書読込処理手順を示すフロー図である。
【図３２】従来からの電子情報ボードシステムの概略である。
【発明を実施するための形態】
【００１３】
本発明の実施形態の電子機器に関し以下図面を用いて説明するが、本発明の趣旨を越えない限り、何ら本実施形態に限定されるものではない。なお、各図中、同一又は相当する部分には同一の符号を付しており、その重複説明は適宜に簡略化乃至省略する。本実施形態の電子機器としては、電子情報ボードを例にとり説明するが、本発明は電子情報ボードに限定されず、いわゆるタブレット型端末等によっても実現可能である。
【００１４】
本発明は、概略的には、電子情報ボードの黒板機能に、２頁以上の複数頁からなる文書内容のうちの一部の頁を指定し、さらに指定した複数頁を等倍に、または縮小した上で新しく生成した頁に貼り付ける機能を付与することで電子情報ボードの黒板機能利用時にユーザが討議内容の振り返りやまとめを効率的に行うことを特徴とするものである。
【００１５】
本発明の実施形態の電子情報ボード１の概略構成について図１を参照して説明する。本実施形態の電子情報ボード１は、表示媒体としてのディスプレイ１０と、パーソナルコンピュータ（以下「ＰＣ」という。）２０で構成される。ディスプレイ１０は、手書き書込みデータやＰＣ操作情報を入力するためのタッチパネル１１を備え、ＰＣ２０の画面や手書き書込みデータを表示する。タッチパネル１１とＰＣ２０はＵＳＢケーブル３１により接続され、ディスプレイ１０とＰＣ２０はＶＧＡケーブル３２により接続されている。
【００１６】
次に、本実施形態の電子情報ボード１の機能ブロックについて図２を参照して説明する。なお、以下の説明においては、電子黒板機能として、ＰＣ２０の電源ＯＮから電源ＯＦＦまでの常時動作を前提としているため、電子黒板機能の開始、停止ステップについての説明は省略する。
【００１７】
本実施形態の電子情報ボード１の機能ブロックは、開始部１１０と、利用部１２０と、終了部１３０で構成される。開始部１１０は、データ取得部１１１と、パスコード入力部１１２で構成されている。利用部１２０は、描画部１２１と、頁挿入部１２２と、次頁移動部１２３と、前頁移動部１２４と、頁クリップ切出部１２５と、頁クリップ貼付部１２６と、文書読込部１２７で構成される。終了部１３０は、データ記憶部１３１と、パスコード設定部１３２で構成される。
【００１８】
開始部１１０は、黒板機能の開始処理を行う。より具体的には開始部１１０において、黒板機能を新規に実行するか、図示しない記憶部に記憶された書込みデータを使って始めるかを選択する。データ取得部１１１により、画像データ記憶手段を含む後述のデータ記憶部１３１に記憶された頁表示内容データを取得する。頁表示内容データとしては、書込データ、背景画像データ、および貼付けられた頁クリップデータと位置情報等がある。
【００１９】
データ取得部１１１により頁表示内容データを取得するには、パスコード入力部１１２から所定のパスコードを入力する。パスコード入力の詳細については後述する。
【００２０】
利用部１２０は、黒板機能の利用処理を行う。描画手段としての描画部１２１により、例えばタッチパネル１１によりディスプレイ１０に表示された画像データに付加画像として書き込まれた書込データを描画処理する。
【００２１】
頁挿入部１２２は、データ記憶部１３１に記憶された２頁以上の画像データに新たな頁を挿入する手段である。次頁移動部１２３は、表示された頁の次の頁に移動する手段である。前頁移動部１２４は、表示された頁の前の頁に移動する手段である。頁クリップ切出部１２５は、２頁以上の画像データから一部の画像データを切り出して抽出する画像データ抽出手段である。
【００２２】
抽出された一部の画像データは、その属性情報及び抽出元の画像データの頁情報とともに抽出画像データ記憶手段を含むデータ記憶部１３１に記憶される。属性情報とは、例えば抽出画像を一意に識別するための識別子（以下「クリップ識別子」という。）などをいう。
【００２３】
頁クリップ貼付部１２６は、データ記憶部１３１に記憶された一部の画像データをディスプレイ１０に表示された画像データに貼り付ける画像データ貼付手段である。文書読込部１２７は、データ記憶部１３１に記憶された文書データを読み込む手段である。
【００２４】
上記の各処理部により、利用部１２０においては、例えば書込みデータの入力、新規頁の作成、書き込んだ頁のブラウジング、選択した文書ファイルの各頁を背景とする新規頁の作成、文書内容の一部を頁クリップとして抽出、切り出した頁クリップの閲覧、所望の頁クリップの頁への貼付などを行うことができる。
【００２５】
終了部１３０は、黒板機能の終了処理を行う。より具体的には、終了部１３０では処理終了時に頁表示内容データをデータ記憶部１３１に記憶するか否かを選択する。データ記憶部１３１に記憶する場合には、パスコード設定部１３２によりパスコードの設定を行うことで頁表示内容データを記憶する。終了処理が終わり次第、再び開始処理に戻る。
【００２６】
次に、開始処理手順の具体例について図３及び図４を参照して説明する。まず、本説明の前提となるコンテナ・オブジェクトについて説明する。本実施形態において、ディスプレイ１０に表示されるコンテンツは、頁コンテナ・オブジェクト（以下「頁コンテナ」という。）と呼ばれるオブジェクトで管理される。具体的には、書込みデータ、設定された背景画像、及び貼付けられた頁クリップを含む頁情報を頁コンテナで管理する。
【００２７】
頁コンテナは、頁コンテナの一意性を示すためのコンテナ識別子と、前頁のコンテナを参照するための前コンテナ識別子と、次頁のコンテナを参照するための次コンテナ識別子と、記憶時間を示す更新時刻と、書込みデータと、設定されている背景画像と、貼付けられたすべての頁クリップに対応する１以上の複数の頁クリップコンテナのクリップ識別子と、貼り付けられたすべての頁クリップの画面内での位置情報で構成され、全体としてリンクドリスト構造を有する頁遷移が容易なデータ構造として実現される。
【００２８】
同様に、本実施形態では、切り取られた頁クリップを頁クリップコンテナ・オブジェクト（以下「頁クリップコンテナ」という。）で管理する。頁クリップコンテナは、頁クリップコンテナの一意性を示すためのクリップ識別子と、頁クリップが切り取られた頁のコンテナ識別子と、切り取られた画像情報で構成されるデータ構造として実現される。
【００２９】
なお、コンテナ識別子やクリップ識別子としては特別なものは必要とせず、例えば時間情報をシードとしたＵＵＩＤ（Ｕｎｉｖｅｒｓａｌｌｙ  Ｕｎｉｑｕｅ  Ｉｄｅｎｔｉｆｉｅｒ）を利用して実現する。書込みデータも特別なものは必要せず、画面全体のＪＰＥＧ画像データを利用すれば実現できるが、より複雑にＳＶＧ（Ｓｃａｌａｂｌｅ  Ｖｅｃｔｏｒ  Ｇｒａｐｈｉｃｓ）形式のストロークデータ等を利用してもよい。背景画像や画面クリップもＪＰＥＧ形式の画像データを利用すれば実現できる。
【００３０】
開始処理においては、開始部１１０は、黒板機能を開始するため、図４に示すような開始画面をディスプレイ１０に表示する（ステップＳ１）。ユーザは、この開始画面において、黒板機能を新規で開始するか、保存している書込みデータを再利用して開始するかを選択する（ステップＳ２）。ユーザにより新規アイコンが選択された場合（ステップＳ２、ＹＥＳ）、黒板機能を新規に開始する準備を行うため、１頁分の空コンテナが生成される（ステップＳ３）。
【００３１】
その後、固有な識別子が、コンテナ識別子、前コンテナ識別子、及び次コンテナ識別子に代入され、記憶時間としてコンテナを生成した時刻が代入される（ステップＳ４）。このとき、書込みデータは空となる。また、表示する頁コンテナを示す表示コンテナ識別子に、生成した頁コンテナのコンテナ識別子が代入される（ステップＳ５）。表示コンテナ識別子が示す頁コンテナが表示対象の頁コンテナとなる。
【００３２】
以上の処理が終了すると、黒板機能の利用処理が動作する（ステップＳ６）。
【００３３】
一方、ユーザが新規アイコンを選択せず（ステップＳ２、ＮＯ）、再開アイコンを選択した場合（ステップＳ７、ＹＥＳ）、頁表示内容取得処理が実行され（ステップＳ８）、その後黒板利用処理が実行される（ステップＳ９）。
【００３４】
次に、頁表示内容取得処理について図５及び図６を参照して説明する。まず、パスコード入力処理が実行される（ステップＳ１１）。パスコード入力処理の詳細は後述する。
【００３５】
パスコードが入力されると、パスコードに対応する頁表示内容データが保存されているか否かをチェックする（ステップＳ１２）。本実施形態では頁表示内容データを、パスコードのハッシュ値をファイル名として所定のディレクトリに保存する。本処理はパスコードを、同じファイル名を持つファイルが特定のディレクトリ内にあるか否かをチェックすることで実現される。
【００３６】
なお、ハッシュ値の計算にはＭＤ（Ｍｅｓｓａｇｅ  Ｄｉｇｅｓｔ）５等の既存の手法を用いればよい。また、本実施形態では説明を省略するが、データベースシステムを使って、パスコードと頁コンテナの内容を適切な形式で記録管理してもよい。
【００３７】
パスコードに対応する頁表示内容データが保存されている場合（ステップＳ１２、ＹＥＳ）、パスコードに対応する保存データを取得する（ステップＳ１３）。保存データはパスコードを使って全頁コンテナ情報と全頁クリップ情報をパスワード付きでパッケージ化して保存されているため、パスコードを使って展開する（ステップＳ１４）。展開した頁コンテナ情報と頁クリップ情報を、それぞれ生成した頁コンテナと頁クリップコンテナに代入する。
【００３８】
次に、各頁コンテナの保存時間をもとに一番最近の保存時間を持つ頁コンテナのコンテナ識別子を表示コンテナ識別子に代入し（ステップＳ１５）、処理を終了する。表示コンテナ識別子に一番最近の保存時間を持つ頁コンテナのコンテナ識別子を代入することで後述の黒板利用処理にて前回最後に利用した頁が表示される。
【００３９】
一方、パスコードに対応する頁表示内容データが保存されていない場合（ステップＳ１２、ＮＯ）、エラーメッセージを一定時間、例えばＮ秒表示した後（ステップＳ１６）、黒板開始処理に自動的に遷移する（ステップＳ１７）。エラーメッセージの表示画面一例を図６に示す。図６に示すように『パスコードに対応する保存データがありません』というメッセージが一定時間表示される。
【００４０】
次に、パスコード入力処理手順について図７及び図８を参照して説明する。処理が開始されると、まずパスコード入力画面が表示される（ステップＳ２１）。このときパスコードは一旦『ｎｉｌ』（ゼロ）とされる（ステップＳ２２）。
【００４１】
図８にパスコート入力画面の一例を示す。画面上の１、２、３、４、５、６、７、８、９、０、および＃の各ボタンはパスコード文字列入力用のボタンであり、これらのボタンを押す（ステップＳ２３、ＹＥＳ）ことで対応する文字がパスコードに追加される（ステップＳ２４）。なおＢＳボタンは入力したパスコードを削除するボタンである。
【００４２】
また、入力したパスコードはボタン上部に表示・更新される（ステップＳ２５）。なお、本実施形態では、入力したパスコードはそのまま表示されるが、非表示にしてもよい。次に、ＯＫボタンが押されるとパスコード入力が終了したと判断し（ステップＳ２６、ＹＥＳ）、処理を終了する。そして、パスコード入力処理を呼び出した処理へパスコードを返す。
【００４３】
一方、文字列入力用のボタンが押されず（ステップＳ２３、ＮＯ）、ＯＫボタンも押されないとき（ステップＳ２６、ＮＯ）、再び文字列入力用のボタンが押されるかどうかを確認する（ステップＳ２３）。
【００４４】
次に、黒板利用処理手順について図９から図１１を参照して説明する。処理が開始されると、まず頁コンテナ表示処理が開始される（ステップＳ３１）。頁コンテナ表示処理においては、図１０に示すような黒板利用画面が表示される。図１０に示すように黒板利用画面には新頁ボタン、次頁ボタン、前頁ボタン、切出ボタン、貼付ボタン、文書読込ボタン、および終了ボタンが配置されている。
【００４５】
黒板利用画面が表示されたのち、黒板開始処理にて表示コンテナ識別子に代入された頁コンテナをもとに頁表示内容データが表示される。新規で開始した場合は表示コンテナ識別子が示す頁コンテナは書込みデータ、背景画像データ、および貼り付けられた頁クリップデータのいずれも保持していないため、図１０に示す黒板利用画面のように画面には書込み情報は何も表示されない。
【００４６】
一方、保存した書込みデータで再開した場合は、表示コンテナ識別子が示す頁コンテナは最後に保存された、すなわち、最後に利用した書込みデータ、背景画像データ、および貼り付けられた頁クリップデータの情報が保持されている。このため、図１１に示す黒板利用画面のように画面表示内容データが描画される（ステップＳ３２）。
【００４７】
次に、図１０に示す黒板利用画面例をもとに新規頁の作成、頁遷移、表示頁の頁クリップの切り取り、表示頁への頁クリップの貼り付け、および文書ファイルの読み込みの各動作について説明する。
【００４８】
新頁ボタンが押されると（ステップＳ３３、ＹＥＳ）、描画処理は停止され（ステップＳ４０）、頁挿入処理により新しい頁が現在の頁の後ろに挿入され（ステップＳ４７）、表示内容が空になる。
【００４９】
新頁ボタンが押されずに（ステップＳ３３、ＮＯ）、次頁ボタンが押されると（ステップＳ３４、ＹＥＳ）、描画処理は停止され（ステップＳ４１）、次頁移動処理により次頁が表示対象となり（ステップＳ４８）、次頁の頁表示内容データが表示される。
【００５０】
次頁ボタンが押されずに（ステップＳ３４、ＮＯ）、前頁ボタンが押されると（ステップＳ３５、ＹＥＳ）、描画処理は停止され（ステップＳ４２）、前頁移動処理により前頁が表示対象となり（ステップＳ４９）、前頁の頁表示内容データが表示される。
【００５１】
前頁ボタンが押されずに（ステップＳ３５、ＮＯ）、切出ボタンが押されると（ステップＳ３６、ＹＥＳ）、描画処理は停止され（ステップＳ４３）、頁クリップ切出処理によりユーザが指定した文書内の頁が切り出され（ステップＳ５０）、頁クリップとして記録される。
【００５２】
切出ボタンが押されずに（ステップＳ３６、ＮＯ）、貼付ボタンが押されると（ステップＳ３７、ＹＥＳ）、描画処理は停止され（ステップＳ４４）、頁クリップ貼付処理によりユーザが選択した頁クリップがユーザの指定する位置に貼り付けられる（ステップＳ５１）。
【００５３】
貼付ボタンが押されずに（ステップＳ３７、ＮＯ）、文書読込ボタンが押されると（ステップＳ３８、ＹＥＳ）、描画処理は停止され（ステップＳ４５）、文書読込処理によりユーザが選択した文書ファイルの各頁が背景画像として貼り付けられた頁が現在の頁の後ろに挿入され、文書ファイルの１ページ目に対応する頁が表示される（ステップＳ５２）。
【００５４】
文書読込ボタンが押されずに（ステップＳ３８、ＮＯ）、終了ボタンが押されると（ステップＳ３９、ＹＥＳ）、描画処理は停止され（ステップＳ４６）、黒板終了処理へ遷移する（ステップＳ５３）。なお、本実施形態では頁の前後のリンクはループしているため、頁移動が途切れることはない。
【００５５】
次に、頁挿入処理手順について図１２を参照して説明する。処理が開始されると、まず表示コンテナ識別子から表示対象の頁コンテナ（以降、「表示対象頁コンテナ」という。）を特定し、現在の画面に書き込まれた書込みデータ、貼付けられた頁クリップ、および背景画像データを表示対象頁コンテナと表示対象頁コンテナに対応する頁クリップコンテナに記憶する（ステップＳ１０１）。
【００５６】
そして、これとともに頁コンテナの更新時刻に現在の時刻を代入する（ステップＳ１０２）。次に、表示内容をすべて消去する（ステップＳ１０３）。
【００５７】
次に、空の頁コンテナを生成し（ステップＳ１０４）、生成した頁コンテナの前コンテナ識別子に表示対象頁コンテナの識別子を代入する（ステップＳ１０５）。また、生成した頁コンテナの次コンテナ識別子に表示対象頁コンテナの次コンテナ識別子を代入する（ステップＳ１０６）。
【００５８】
さらに、表示対象頁コンテナの次コンテナ識別子に生成した頁コンテナの識別子を代入し（ステップＳ１０７）、表示コンテナ識別子にも生成した頁コンテナの識別子を代入し（ステップＳ１０８）、処理を終了する。この処理により生成した頁コンテナは表示していた頁コンテナの次頁に位置することになり、また表示対象の頁コンテナが生成した頁コンテナとなる。
【００５９】
次に、次頁移動処理手順について図１３を参照して説明する。処理が開始されると、まず表示コンテナ識別子から表示対象頁コンテナを特定し、現在の画面に書き込まれた書込みデータ、貼付けられた頁クリップ、および背景画像データを表示対象頁コンテナと表示対象頁コンテナに対応する頁クリップコンテナに記憶する（ステップＳ２０１）。
【００６０】
そして、これとともに頁コンテナの更新時刻に現在の時刻を代入する（ステップＳ２０２）。次に、表示内容をすべて消去する（ステップＳ２０３）。次に、表示コンテナ識別子に表示対象頁コンテナの次コンテナ識別子を代入し（ステップＳ２０４）、処理を終了する。この処理により表示対象が次の頁コンテナとなる。
【００６１】
次に、前頁移動処理手順について図１４を参照して説明する。処理が開始されると、まず表示コンテナ識別子から表示対象頁コンテナを特定し、現在の画面に書き込まれた書込みデータ、貼り付けられた頁クリップ、および背景画像データを表示対象頁コンテナと表示対象頁コンテナに対応する頁クリップコンテナに記憶する（ステップＳ３０１）。
【００６２】
そして、これとともに頁コンテナの更新時刻に現在の時刻を代入する（ステップＳ３０２）。次に、表示内容をすべて消去する（ステップＳ３０３）。次に、表示コンテナ識別子に表示対象頁コンテナの前コンテナ識別子を代入し（ステップＳ３０４）、処理を終了する。この処理により表示対象が前の頁コンテナとなる。
【００６３】
次に、黒板終了処理手順について図１５を参照して説明する。処理が開始されると、まず表示コンテナ識別子から表示対象頁コンテナを特定し、現在の画面に書き込まれた書込みデータ、貼り付けられた頁クリップ、および背景画像データを表示対象頁コンテナと表示対象頁コンテナに対応する頁クリップコンテナに記憶する（ステップＳ４０１）。
【００６４】
そして、これとともに頁コンテナの更新時刻に現在の時刻を代入する（ステップＳ４０２）。次に、表示内容をすべて消去する（ステップＳ４０３）。次に、全頁コンテナの内容を記憶するための頁表示内容記憶処理を実行し（ステップＳ４０４）、その後黒板開始処理へ遷移する（ステップＳ４０５）。
【００６５】
次に、頁表示内容記憶処理手順について図１６及び図１７を参照して説明する。処理が開始されると、まず頁表示内容データを記憶するか否かを問う記憶確認画面が表示される（ステップＳ５０１）。図１７に記憶確認画面の一例を示す。画面上のはいボタンが押されず（ステップＳ５０２、ＮＯ）、いいえボタンが押されると（ステップＳ５０６、ＹＥＳ）、頁表示内容データは記憶されず、処理を終了する。
【００６６】
一方、はいボタンが押されると（ステップＳ５０２、ＹＥＳ）、後述のパスコード設定処理によりパスコードを取得し（ステップＳ５０３）、黒板機能利用中に生成されたすべての頁コンテナ情報とすべてのクリップコンテナを、取得したパスコードをもとにパスワード付きでパッケージ化し、記憶データを生成する（ステップＳ５０４）。
【００６７】
すべての頁コンテナ情報とは、記憶しているコンテナ識別子、前コンテナ識別子、次コンテナ識別子、更新時間、書込みデータ、設定されている背景画像、貼付けられたすべての頁クリップに対応する頁クリップコンテナのクリップ識別子、および貼り付けられたすべての頁クリップの画面内での位置情報である。
【００６８】
また、すべての頁クリップコンテナとは、頁クリップコンテナの一意性を示すためのクリップ識別子、頁クリップが切り取られた頁のコンテナ識別子、および切り取られた画像情報である。
【００６９】
そして、記憶データを、パスコードのハッシュ値をファイル名として所定のディレクトリに記憶する（ステップＳ５０５）。パスワード付きパッケージ方法としては、パスワード付きｚｉｐ等の既存の手法を用いればよい。記憶が終了すると処理が終了する。
【００７０】
なお、本実施形態では、詳細は割愛するが、パスコードを設定する際、所定のディレクトリ内のファイル名として、設定したパスコードのハッシュ値がすでに利用されているか否かを確認することでパスコードの重複利用を防止することが可能である。
【００７１】
次に、パスコード設定処理手順について図１８及び図１９を参照して説明する。パスコード設定処理はパスコード入力処理フローと同様であるため重複する説明を省略するが、処理開始時に表示されるパスコード設定画面が異なっている。図１９にパスコード設定画面の一例を示している。
【００７２】
次に、日付付きパスコード設定処理手順について図２０及び図２１を参照して説明する。前述したようにパスコード設定時にパスコードが重複する可能性があり、これを防止する方法の一つとしてパスコードに利用日の日付を用いることが望ましい。
【００７３】
パスコード設定処理もパスコード入力処理フローと同様であるため重複する説明は省略するが、パスコードの初期値として事前に利用日の日付が入力されている点が異なっている。すなわち、図２１の示す日付付きパスコード設定画面のように、利用日が２０１０年２月２７日だとするとパスコード欄には処理開始時に２０１００２２７という文字列が挿入されることがわかる。
【００７４】
次に、頁クリップ切り出し処理について図２２から図２４を参照して説明する。以下、図２２に示す処理手順に従い、頁クリップ切り出し処理の動作を説明する。なお、図２３、図２４の切り出しウインドウ内に表示された画像データは例示であり、例えばユーザが『Ａが確認』という書込みを行っている様子を示している。
【００７５】
なお、図２３に示すように、画面の右下に『切出』『貼付』『文書読込』『新頁』『次頁』『前頁』『終了』の各処理を行うアイコンが配置されている。これらのアイコンを指示ペンＰ等により押圧することで各処理が開始される。『新頁』『次頁』『前頁』は、各頁への移動処理を行うためのアイコンである。
【００７６】
図２３に頁クリップ切り出し処理の画面例を示す。ユーザが画面上で『切出』アイコンを押下することで頁クリップ切り出し処理が開始する。処理が開始するとまず、画面上に切り出しウインドウＣＷが表示される（ステップＳ８０１）。切り出しウインドウＣＷには切り出しを実行するための切り出しボタンＣと頁クリップ切り出し処理を中止するための取り消しボタンＥも配置されている。
【００７７】
図２４に示すように、ユーザは指や指示ペンＰ等でリサイズボタンＲを押下することで、切り出しウインドウＣＷ内の頁の画像を所望のサイズに変更する（ステップＳ８０２、ＹＥＳ）。本実施形態では、リサイズボタンＲを押下するたびに、頁のサイズは１００％、５０％、２５％、１００％、５０％…の順にサイクリックに変化する（ステップＳ８０６）。なお、本発明において、リサイズボタンＲにより切り出しウインドウＣＷ内の頁の画像をリサイズする手段を便宜的に抽出画像データサイズ変更手段とする。
【００７８】
そして、ユーザは切り出しボタンＣを押下することで（ステップＳ８０３、ＹＥＳ）、切り出しウインドウＣＷに含まれる画面内容を画像データとして切り出し（ステップＳ８０７）、切り出した画面データをシステムが自動生成するクリップ識別子と現在表示されている頁のコンテナ識別子とともに生成した頁クリップコンテナに記憶する（ステップＳ８０８）。
【００７９】
なお、本実施形態では、画面内容の切り出し動作の詳細は割愛するが、例えば本システムをＷｉｎｄｏｗｓ（登録商標）で動作するものとすると、ＧＤＩ（Ｇｒａｐｈｉｃｓ  Ｄｅｖｉｃｅ  Ｉｎｔｅｒｆａｃｅ）というグラフィックス描画機能が提供するＡＰＩ（Ａｐｐｌｉｃａｔｉｏｎ  Ｐｒｏｇｒａｍｍｉｎｇ  Ｉｎｔｅｒｆａｃｅ）を利用することで実現できる。
【００８０】
その後、ユーザが切り出しボタンＣを押下し、切り出し頁を頁クリップコンテナに記憶する処理が終了するか、ユーザが取り消しボタンＥを押下すると（ステップＳ８０４、ＹＥＳ）、切り出しウインドウＣＷ内の頁のサイズは１００％に戻り、切り出しウインドウＣＷは非表示になり（ステップＳ８０５）、頁クリップ切り出し処理は終了する。
【００８１】
次に、頁クリップ貼り付け処理について図２５から図２７を参照して説明する。以下、図２５に示す処理手順に従い、頁クリップ貼り付け処理の動作を説明する。
【００８２】
図２６に頁クリップ貼り付け処理の画面例を示す。ユーザが画面上で『貼付』アイコンを押下することで頁クリップ貼り付け処理が開始する。処理が開始するとまず、画面上に頁クリップ選択ウインドウＳＷが表示される（ステップＳ９０１）。頁クリップ選択ウインドウＳＷにはｎ個の最新の頁クリップコンテナが保持する画像データ、すなわち頁クリップＣＰが表示される。図２６では３個の最新頁クリップＣＰが表示されている。
【００８３】
頁クリップ選択ウインドウＳＷには、頁クリップＣＰの他に、ユーザが表示する頁クリップＣＰを切り替えるための左ボタンＬＢと右ボタンＲＢが配置されている。さらに、頁クリップ選択ウインドウＳＷには頁クリップ貼り付け処理を中止するための取り消しボタンＥも配置されている。
【００８４】
図２７に示すように、指もしくは指示ペンＰなどで右ボタンＲＢを押下することで（ステップＳ９０２、ＹＥＳ）、図２６に表示されている右端の頁クリップＣＰが隠れ、左端に新たな頁クリップＣＰが表示される（ステップＳ９０７）。頁クリップＣＰの表示順序は頁クリップＣＰが切り取られた、すなわち頁クリップコンテナが生成された順とすればよい。
【００８５】
詳細は割愛するが、頁クリップＣＰのサイズごとに生成された順に表示する等、より複雑な順序を用いてもよい。また、右ボタンＲＢが押下されずに（ステップＳ９０２、ＮＯ）、左ボタンを押下することで（ステップＳ９０３、ＹＥＳ）、左端の頁クリップが隠れ、右端に新たな頁クリップＣＰが表示される（ステップＳ９０８）。
【００８６】
次に、ユーザが所望の頁クリップＣＰを選択・押下すると（ステップＳ９０４、ＹＥＳ）、頁クリップ選択ウインドウＳＷが閉じ（ステップＳ９０９）、選択頁クリップ貼付位置合わせ処理に処理へ移行する（ステップＳ９１０）。また、ユーザが取り消しボタンＥを押下することで（ステップＳ９０５、ＹＥＳ）、頁クリップ貼り付け処理が中止され、頁クリップ選択ウインドウＳＷが閉じる（ステップＳ９０６）。
【００８７】
次に、頁クリップ貼付位置合わせ処理について図２８から図３０を参照して説明する。以下、図２８に示す処理手順に従い、頁クリップ貼付位置合わせ処理の動作を説明する。
【００８８】
図２９に頁クリップ貼り付け位置合わせ処理の画面例を示す。ユーザが頁クリップ貼り付け処理において頁クリップ選択ウインドウＳＷで所望の頁クリップを選択することで、頁クリップ貼り付け位置合わせ処理が開始する。処理が開始すると、まず画面上に選択した頁クリップを含んだ頁クリップ画像ウインドウＣＰＷと頁を分割する格子Ｘが表示される（ステップＳ１００１）。
【００８９】
頁クリップ画像ウインドウＣＰＷの初期サイズは選択した頁クリップのサイズと同じである。ユーザが頁クリップ画像ウインドウＣＰＷをリサイズするためのリサイズボタンＲが頁クリップ画像ウインドウＣＰＷに配置されている。なお、本発明において、リサイズボタンＲにより頁クリップ画像ウインドウＣＰＷをリサイズする手段を便宜的に貼付画像データサイズ変更手段とする。
【００９０】
また頁クリップ画像ウインドウＣＰＷの初期表示位置はシステムの規定値である。そのため、ユーザが頁クリップ画像ウインドウＣＰＷを移動するための移動ボタンＭが頁クリップ画像ウインドウＣＰＷに配置されている。そして、頁クリップ画像ウインドウＣＰＷの左上端が最も近い格子点に重なるように位置が自動調整される。
【００９１】
さらに、頁クリップ画像ウインドウＣＰＷには貼り付けを実行するための貼り付けボタンＴと貼り付け処理を中止するための取り消しボタンＥも配置されている。
【００９２】
ユーザは移動ボタンＭとリサイズボタンＲを適宜使用し、所望のサイズの頁クリップ画像ウインドウＣＰＷを所望の位置へ移動させる。すなわち、移動ボタンＭが押下されると（ステップＳ１００２、ＹＥＳ）、例えばマウスがリリースされた位置に最も近い格子点が頁クリップ画像ウインドウＣＰＷの左上端と重なるように頁クリップ画像ウインドウＣＰＷが移動・表示される（ステップＳ１００７）。
【００９３】
また、リサイズボタンＲが押下されると（ステップＳ１００３、ＹＥＳ）、頁クリップ画像ウインドウＣＰＷの左上端の位置を固定し、頁クリップ画像ウインドウＣＰＷをリサイズして表示する（ステップＳ１００８）。
【００９４】
そして、ユーザにより貼り付けボタンＴが押下されることで（ステップＳ１００４、ＹＥＳ）、頁クリップ画像ウインドウＣＰＷに含まれる画面内容が画像データとして頁に貼り付けられる（ステップＳ１００９）。そして、貼り付けた頁クリップに対応する頁クリップコンテナのクリップ識別子とクリップを貼り付けた頁内での位置情報を貼り付けた頁に対応する頁コンテナに保持する（ステップＳ１０１０）。なお、本発明において、上記位置情報を記憶する手段を便宜的に位置情報記憶手段とする。
【００９５】
ユーザが貼り付けボタンＴを押下し、貼り付け処理が終了するか、ユーザが取り消しボタンＥを押下すると（ステップＳ１００５、ＹＥＳ）、頁クリップ画像ウインドウＣＰＷと格子Ｘは非表示になり（ステップＳ１００６）、頁クリップ貼り付け位置合わせ処理は終了する。参考までに、図３０に頁クリップ貼り付け処理を繰り返し実行し、また書込みを行うことにより、会議結果のまとめや振り返りのための頁を作成した画面例を示す。
【００９６】
なお、上述した貼り付け処理においては、複数の頁クリップ画像ウインドウＣＰＷが重ならないように貼り付ける制御を行うこととしてよい。
【００９７】
次に、文書読み込み処理手順について図３１を参照して説明する。文書読み込み処理フローは、例えば、図３０に示す画面例において『文書読込』アイコンを押下することで処理が開始する。処理が開始されると、まず読み込む文書を選択するためのダイアログが表示される。
【００９８】
読み込む文書を選択するためのダイアログの動作例の詳細は割愛するが、例えば、システムが動作するＯＳがＷｉｎｄｏｗｓ（登録商標）の場合、ＯｐｅｎＦｉｌｅＤｉａｌｏｇ等のクラスライブラリを用いることで読み込むファイルをユーザに指定させ、かつ指定したファイル内容を参照することができる（ステップＳ１１０１）。
【００９９】
次に、指定したファイルの内容を参照し、ファイル内容に対応する画像データを生成する（ステップＳ１１０２）。詳細な動作説明は省略するが、前動作例に従いシステムが動作するＯＳがＷｉｎｄｏｗｓ（登録商標）の場合で、読み込むファイルのネイティブアプリケーションがＯＬＥ（Ｏｂｊｅｃｔ  Ｌｉｎｋｉｎｇ  ａｎｄ  Ｅｍｂｅｄｄｉｎｇ）オートメーションに対応している場合、ＯＬＥオートメーション機能を利用することで、ファイル内容をページ単位で画像データとして抽出することができる。
【０１００】
次に、読み込みファイルの内容に対応する画像データのすべてについてそれぞれの画像データを背景画像とする頁を挿入する頁挿入処理を繰り返し（ステップＳ１１０７）、最後に画像データの１枚目、すなわち読み込みファイルの１頁目に対応する頁コンテナの表示コンテナ識別子に代入し（ステップＳ１１０８）、処理を終了する。その結果、本処理により読み込みファイルの１頁目を背景画像とする頁が表示される。
【０１０１】
なお、上述する各実施の形態は、本発明の好適な実施の形態であり、本発明の要旨を逸脱しない範囲内において種々変更実施が可能である。例えば、上述した本実施形態の画像処理装置における各処理を、上述した本実施形態の画像処理装置を構成する各部における制御動作は、ハードウェア、または、ソフトウェア、あるいは、両者の複合構成を用いて実行することも可能である。
【０１０２】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【符号の説明】
【０１０３】
１    電子情報ボード
１０    ディスプレイ
１１    タッチパネル
２０    ＰＣ
３１    ＵＳＢケーブル
３２    ＶＧＡケーブル
１１０    開始部
１１１    データ取得部
１１２    パスコード入力部
１２０    利用部
１２１    描画部
１２２    頁挿入部
１２３    次頁移動部
１２４    前頁移動部
１２５    頁クリップ切出部
１２６    頁クリップ貼付部
１２７    文書読込部
１３０    終了部
１３１    データ記憶部
１３２    パスコード設定部
【先行技術文献】
【特許文献】
【０１０４】
【特許文献１】特開２０１３−３９７０１号公報
【図１】
2015022393.tif 000003
【図２】
2015022393.tif 000004
【図３】
2015022393.tif 000005
【図４】
2015022393.tif 000006
【図５】
2015022393.tif 000007
【図６】
2015022393.tif 000008
【図７】
2015022393.tif 000009
【図８】
2015022393.tif 000010
【図９】
2015022393.tif 000011
【図１０】
2015022393.tif 000012
【図１１】
2015022393.tif 000013
【図１２】
2015022393.tif 000014
【図１３】
2015022393.tif 000015
【図１４】
2015022393.tif 000016
【図１５】
2015022393.tif 000017
【図１６】
2015022393.tif 000018
【図１７】
2015022393.tif 000019
【図１８】
2015022393.tif 000020
【図１９】
2015022393.tif 000021
【図２０】
2015022393.tif 000022
【図２１】
2015022393.tif 000023
【図２２】
2015022393.tif 000024
【図２３】
2015022393.tif 000025
【図２４】
2015022393.tif 000026
【図２５】
2015022393.tif 000027
【図２６】
2015022393.tif 000028
【図２７】
2015022393.tif 000029
【図２８】
2015022393.tif 000030
【図２９】
2015022393.tif 000031
【図３０】
2015022393.tif 000032
【図３１】
2015022393.tif 000033
【図３２】
2015022393.tif 000034